(57)【特許請求の範囲】
【請求項１】
樹脂発泡体ブロックを軽量盛土材として少なくとも一側面がほぼ垂直面となるように多段に積み上げ、その上面に路盤などの仕上げ構造材を、また、側面に多段に矩形状の壁面材を配置するようにした軽量盛土工法における前記壁面材の固定構造であって、前記矩形状の壁面材は裏面にその上縁から下縁にわたって連続して上下方向に走る縦溝を有していて、先端を該縦溝内に摺動可能な状態で係着した止着材を段積みされる軽量盛土材の積層面間に挿入することにより、該矩形状の壁面材が多段に積み上げた軽量盛土材のほぼ垂直となる側面に固定されていることを特徴とする固定構造。
【請求項２】
上下に連接する壁面材同士の位置決めのために、双方の縦溝内に挿入できかつその状態で係止可能な位置決め材が、全部または一部の連接部に用いられることを特徴とする請求項１記載の固定構造。
【発明の詳細な説明】
【０００１】
【発明の属する技術分野】
本発明は、軽量盛土工法における壁面材の固定構造に関する。
【０００２】
【従来の技術】
軟弱地盤や地滑り地などでの盛土工法の一つとしてＥＰＳ工法のような軽量盛土材を用いた軽量盛土工法が知られている。この工法は、地盤改良にかかる経費の節減、工期の短縮、耐震性の向上などにおいて優れた効果を発揮することから、種々の土木工事において広く採用されている。図８は、軽量盛土工法を道路の拡幅工事に用いる場合の一例を示す断面図であり、軽量盛土材として発泡スチロールブロック（ＥＰＳブロック）を使用している。
【０００３】
図示するように、中腹部に既存の道路１が作られている既存地山の斜面側にＨ形鋼２を建て込み、Ｈ形鋼２と支持地盤３との間にＥＰＳブロック４を積み上げて所定高さの盛土部を形成する。その後、積み上げたＥＰＳブロック４の全面にわたり所定厚さにコンクリートを打設し、コンクリート床版５を形成する。そして、コンクリート床版５およびＥＰＳブロック４が水平方向の位置ズレを起こさないように、支持地盤３に埋設固定したアンカー６の先端をコンクリート床版５に一体に形成したアンカーヘッド５１に固定する。それにより、コンクリート床版５は既存地山側に一体的に固定され、地震などにより支持地盤３が動いたときにも、コンクリート床版５およびＥＰＳブロック４が支持地盤３から剥離すること、すなわち滑動や転倒することを回避する。また、Ｈ形鋼２を利用して軽量コンクリート板のような耐候性を備えた壁面保護材７が取り付けられる。さらに、コンクリート床版５の谷側縁に地覆コンクリート１０が作られ、通常の土木工事のように、路盤８、アスファルト舗装９などの仕上げのための工事が施されて、道路の拡幅工事は終了する。
【０００４】
ところで、ＥＰＳブロックのような樹脂発泡体ブロックは弾塑性体である。従って、コンクリート床版５の上に仕上げ施工として路盤８やアスファルト舗装９を積み上げるとＥＰＳブロック４がわずかに沈下する。工事終了後にも、大型車両が通過する場合などに一時的な沈下が生じる。そのために、図８に示すようにＨ型鋼２を垂直に建て込み、谷側がほぼ垂直壁となるように軽量盛土材４を積み上げていく工法において、Ｈ型鋼２および該Ｈ型鋼を利用して利用して取り付けた壁面保護材７と樹脂発泡体ブロック４とを相互に非拘束状態とし、樹脂発泡体ブロック４の下方への沈み込みを許容している。
【０００５】
前記した樹脂発泡体ブロックの沈み込みに対する他の対策として、特開平１−２０９９９９号公報には、コンクリート床版内に一部を埋設した挟持部材をＨ型鋼のフランジ部にスライド可能に挟持させるようにしたものが記載されている。この構造の場合には、樹脂発泡体ブロックの沈み込み時に発生する側圧によりＨ型鋼である支柱が倒れ込むのを防止でき、安定した壁面保護材の施工が可能となる。
【０００６】
一方、Ｈ型鋼を構造支持材として建て込むことは、施工に大型機械を必要としコスト面でも高くつくことから、特開平１１−２４１３４３号公報には、Ｈ型鋼の建て込みに代えて、傾斜地の底部に形成したコンクリート基礎にコンクリート板のような前面パネルを固着自立させ、積み上げた樹脂発泡体ブロックの上面に形成したコンクリート床版を、前面パネルの上部に対して、止め金具などを用いて固定するようにした傾斜地における軽量盛土工法が記載されている。
【０００７】
【発明が解決しようとする課題】
特開平１１−２４１３４３号公報に記載される工法は、Ｈ型鋼の建て込みを行わないことから、施工コストの低減は期待できる。しかし、前面パネルに対してコンクリート床版が止め金具などにより固定される態様であり、前記樹脂発泡体ブロックの沈み込みに対する対処が十分でないことから、前面パネルとコンクリート床版との固定部に集中荷重が発生して、破壊する恐れがある。
【０００８】
本発明は上記の事情に鑑みてなされたものであり、軽量盛土工法において、Ｈ型鋼の建て込みを省略することにより施工コストを大幅に低減しながら、耐候性確保のために樹脂発泡体ブロックの側面に取り付けることがどうしても必要となる壁面保護材を安定して取り付けることを可能とする軽量盛土工法における改良された壁面材の固定構造を提供することを目的とする。
【０００９】
【課題を解決するための手段】
上記の課題を解決するために、本発明では、樹脂発泡体ブロックを軽量盛土材として少なくとも一側面がほぼ垂直面となるように多段に積み上げ、その上面に路盤などの仕上げ構造材を、また、側面に多段に壁面材を配置するようにした軽量盛土工法における前記壁面材の固定構造において、壁面材は裏面に上下方向に走る縦溝を有しており、先端を該縦溝内に摺動可能な状態で係着した止着材を段積みされる軽量盛土材の積層面間に挿入することにより、壁面材が多段に積み上げた軽量盛土材のほぼ垂直となる側面に固定されるようにした。
【００１０】
本発明の固定構造は、本発明者らが多くの経験から得た知見、すなわち、本来ＥＰＳブロックのような樹脂発泡体ブロックは、少なくとも一側面がほぼ垂直面となるようにして多段に積み上げても、十分な自立性を備えており崩れることはない、という知見を基礎としている。すなわち、樹脂発泡体ブロックを軽量盛土材として少なくとも一側面がほぼ垂直面となるように多段に積み上げ、その上面に路盤などの仕上げ構造材を配置するようにした軽量盛土工法において、ほぼ垂直面となる側面に支持構造材としてのＨ型鋼などの支柱を立設することは、本来不必要であったとの認識をベースとしている。
【００１１】
本発明によれば、耐候性の付与などの目的で配置される壁面材は、段積みされる軽量盛土材の積層面間に挿入される止着材により、樹脂発泡体ブロック側（軽量盛土材側）にしっかりと取り付けられ、自由に離脱することはない。さらに、壁面材は裏面に上下方向に走る縦溝を有しており、止着材の先端は該縦溝内に摺動可能な状態で係着しているので、樹脂発泡体ブロックの上下方向の沈み込みによって、側面に多段に配置された壁面材が影響を受けることもない。
【００１２】
段積みされた樹脂発泡体ブロックの沈み込みにより、樹脂発泡体ブロックが側方に膨らんで壁面材に側圧を与えることが考えられる。しかし、その移動量はわずかであり、各壁面材相互の側方向の移動により十分に吸収可能である。また、そのことは、各壁面材に構造材としての強度を持たせる必要がないことを意味しており、壁面材そのものを安価なものとすることができる。
【００１３】
上記のようであり、本発明によれば、多段に積み上げた軽量盛土材の安定性およびその側面に多段に配置する壁面材の安定性の双方を、樹脂発泡体ブロックの沈み込みが生じる場合であっても、Ｈ型鋼のような構造部材としての支柱を建て込むことなく確保することができるので、軽量盛土工法にかかるトータルな施工コストを大幅に低減することができる。
【００１４】
好ましい態様において、上下に連接する壁面材の位置決めのために、双方の縦溝内に挿入できかつその状態で係止可能な位置決め材が、全部または一部の連接部に用いられる。このような位置決め材を用いることにより、施工時での壁面材の積み上げ作業は大きく省力化される。
【００１５】
【発明の実施の形態】
以下、図面を参照しながら本発明の一実施の形態を説明する。図１は、本発明による軽量盛土工法における壁面材の固定構造を適用した盛土工事部の要部を示す断面図であり、図２は、そこで用いられる壁面材と該壁面材を軽量盛土材である樹脂発泡体ブロックに固定するための止着具の一実施の形態を斜視図により示している。
【００１６】
この例において、施工に際して従来工法と同様にして支持地盤３が整備され、そこに、支持部材としてのＨ型鋼の建て込みを行うことなく、傾斜面とは反対側の面がほぼ垂直な面となるように、軽量盛土材としての樹脂発泡体ブロック（例えば、ＥＰＳブロック）４を多段に積み上げ、所定の高さの盛土部を形成する。その際に、後記するようにして、樹脂発泡体ブロック４のほぼ垂直な面側に止着具３０を用いて壁面材２０を固定していく。その後、コンクリート床版５を形成し、該コンクリート床版５を一端を地中に埋設したアンカー６に固定し、さらに、コンクリート床版５の路肩に地覆コンクリート１０を作り、路盤８、アスファルト舗装９などの仕上げのための工事が施されることは、通常の軽量盛土工法の場合と同様である。
【００１７】
樹脂発泡体ブロック４の垂直面側に壁面材２０を固定する方法を説明する。図２に示すように、壁面材２０は矩形状のものであり、横幅は任意であるが、高さは好ましくは一個の樹脂発泡体ブロック４の高さと同じとされる。壁面材２０の素材は耐候性を有することを条件に任意であり、コンクリート製であってもよく、木材（間伐材）、樹脂材料などであってもよい。壁面材２０の裏面には、例えば金属や樹脂の成形品であり、裏面側に上下方向に走る開口２２を持つガイドレール２１が、所要本数（図示の例では２本）一体に埋め込まれている。開口２２の内側はより幅の広い縦溝２３とされている。
【００１８】
止着具３０は金属や樹脂の一体成形品であり、扁平かつ長尺状である留め付け片３１と、該留め付け片３１の先端に一体成形された係止体３３とからなる。留め付け片３１の横幅は、ガイドレール２１に形成された開口２２の幅よりも狭くされており、好ましくは、その表裏には滑り止めの凸条３２が形成される。係止体３３は、ガイドレール２１の前記縦溝２３内に入り込むことができるが、開口２２からは抜け出ることのない形状と大きさとされる。従って、止着具３０をその係止体３３部分をガイドレール２１の縦溝２３内に入り込ませた状態とすることにより、止着具３０はガイドレール２１から横方向には抜け出ることはなく、上下方向には自由に移動（摺動）することができる状態となる。
【００１９】
壁面材２０の固定は次のようにして行う。前記のように支持地盤３を整備した後、樹脂発泡体ブロック４の垂直面となる位置に、樹脂発泡体ブロック４と壁面材２０の双方のためのをコンクリート基礎１２を形成する。その際に、好ましくは、図１に示すように、壁面材２０の基礎となる部分１３のレベルを最下段の樹脂発泡体ブロック４ａのための基礎となる部分１４よりも高くしておく。
【００２０】
形成した基礎１２の上に最下段の樹脂発泡体ブロック４ａを載置し、該樹脂発泡体ブロック４ａの前面に沿って、図２に示した壁面材２０ａを張り付ける。前記のように基礎１２は段差を有しているので、樹脂発泡体ブロック４ａの上面の位置よりも壁面材２０ａの上端面は上位の位置となる。その状態で、壁面材２０ａの裏面に埋め込んであるガイドレール２１に、当該ガイドレール２１の縦溝２３内に係止体３３部分を入り込ませるようにして止着具３０を取り付ける。止着具３０を押し下げて、留め付け片３１部分を樹脂発泡体ブロック４ａの上面に衝接させた姿勢とし、その上に、二段目の樹脂発泡体ブロック４ｂを積み上げることにより、壁面材２０ａは樹脂発泡体ブロック４ａの垂直面側にしっかりと固
定される。以下、同様な施工手順を積み上げるべき樹脂発泡体ブロック４のすべての段について行うことにより、多段に積み上げた樹脂発泡体ブロック４の垂直な側面に対しての壁面材２０の固定作業は終了する。なお、最上段での止着具３０ａ（の留め付け片３１）の固定は、樹脂発泡体ブロック４とコンクリート床版５との間で行われる。また、図１に示すように、最上段に位置するの壁面材２０の上端面は、最上段の樹脂発泡体ブロック４の上面位置よりも上位の位置となる。そのために、地覆コンクリート１０や路盤８、アスファルト舗装９などの仕上げ施工を、最上段に位置するの壁面材２０に載らないようにして施工することは容易であり、壁面材２０が押し潰されるような事態は生じない。
【００２１】
上記のようであり、本発明による軽量盛土工法における壁面材の固定構造によれば、仕上げ施工後に樹脂発泡体ブロック４が沈下する場合でも、その挙動は、壁面材２０の裏面に形成した縦溝２３内を止着具３０が摺動することにより吸収され、壁面材２０に影響を与えない。そのために、従来のようにＨ型鋼のような支柱を建て込むことなく、軽量盛土材の側面に耐候性付与のための壁面材を安定的に固定することが可能となり、施工コストは大幅に低減する。
【００２２】
図３は、止着具の他の形態を示している。図３ａに示す止着具３０ａは、前記した止着具３０におけると同様な係止体３３を２個、壁面材２０の裏面に形成した複数本のガイドレール２１の間隔と同じ間隔で有しており、各係止体３３は、適宜の連結具３４を介して平板状である留め付け板３５に連接している。この態様の止着具３０ａは、壁面材２０への取り付け作業が簡素化されるとともに、留め付け板３５が平板状であることから、樹脂発泡体ブロック４との間の摩擦力が増大し、固定は一層安定する。図示のように、留め付け板３５の表裏面に凸条３６を形成する場合には、さらに安定した固定状態が確保される。図３ｂに示す止着具３０ｂは、前記した止着具３０における留め付け片３１の先端に留め付け穴３７を設けている点で相違している。この留め付け穴３７を利用して、適宜の固定具３８を樹脂発泡体ブロック４に打ち込むことにより、より堅固に固定状態を得ることができる。なお、固定具３８を用いての取り付けであり、留め付け片３１の表裏面は平坦であってよい。
【００２３】
図４は、上下に連接する壁面材２０、２０の位置決めのために、好ましくは用いられる位置決め材４０をその使用態様とともに示している。位置決め材４０は、ガイドレール２１の縦溝２３の水平断面寸法とほぼ等しい水平断面寸法である上下の差込部４１、４１と、その間に位置する水平板４２とからなり、水平板４２は前記縦溝２３の水平断面寸法よりも大きな面積とされている。このような位置決め材４０を壁面材２０、２０同士の連接部に用いることにより、施工時での壁面材２０の縦断方向の位置決めが容易となり、積み上げ作業は大きく省力化される。特に、図示のように、縦断方向の位置をずらして複数枚の壁面材２０を配置することが容易となり、軽量盛土工法における垂直側壁面に高い意匠性を付与することが可能となる。もちろん、裏面に上下方向に走る２本以上の縦溝２３を有している壁面材２０を用いる場合には、このような位置決め材４０を用いることなく、縦断方向に位置をずらしながら複数枚の壁面材２０を配置していくことも可能である。
【００２４】
図５〜図７は、他の実施の形態を示す、図１に相当する図である。図５〜図７において、同じ機能を奏する部材には同じ符号を付し、詳細な説明は省略する。図５の形態は、軽量盛土材である樹脂発泡体ブロック４を、一側面ではなく、両側面が垂直面となるように多段に積み上げている点で、図１に示した形態と相違している。この形態は、平坦な地表面に軽量盛土工法により道路を形成するような場合に用いられるものであり、アンカー６は通常用いられない。
【００２５】
図６の形態は、軽量盛土材である樹脂発泡体ブロック４を、側面が垂直面にではなく、ほぼ垂直面、すなわちわずかに傾斜した面として階段状に多段に積み上げている点で、図１に示した形態と相違している。この形態では、壁面材２０として、その裏面上縁２５が該傾斜に相当する量だけ内側に突出したものが用いられる。図７の形態は、壁面材２０の表面側が、図６の場合のように階段状ではなく、連続した傾斜面となるように積み上げられている点で、図６に示した形態のものと相違している。この形態では、壁面材２０として、裏面上縁２５が内側に突出していることに加えて、その表面側も該傾斜に相当する角度で傾斜した面２６とされたものが用いられる。
【００２６】
【発明の効果】
本発明によれば、仕上げ施工後に樹脂発泡体ブロックが沈下する場合でも、その挙動を、壁面材の裏面に形成した縦溝内で止着材を摺動させることにより吸収することが可能となり、樹脂発泡体ブロックの沈下が壁面材になんの影響も与えない。そのために、従来のようにＨ型鋼のような支柱を建て込むことなく、軽量盛土材である樹脂発泡体ブロックの側面に耐候性付与のための壁面材を直接かつ安定的に固定することが可能となり、軽量盛土工法の施工コストは大幅に低減する。
【図面の簡単な説明】
【図１】本発明による軽量盛土工法における壁面材の固定構造を適用した盛土工事部の要部を示す断面図。
【図２】壁面材と該壁面材を軽量盛土材である樹脂発泡体ブロックに固定するための止着具の一実施の形態を示す斜視図。
【図３】止着具の他の形態を示す図。
【図４】位置決め材をその使用態様とともに示す図。
【図５】本発明による軽量盛土工法における壁面材の固定構造を適用した盛土工事部の他の実施の形態を示す断面図。
【図６】本発明による軽量盛土工法における壁面材の固定構造を適用した盛土工事部のさらに他の実施の形態を示す断面図。
【図７】本発明による軽量盛土工法における壁面材の固定構造を適用した盛土工事部のさらに他の実施の形態を示す断面図。
【図８】軽量盛土工法を道路の拡幅工事に用いる場合の一例を示す断面図。
【符号の説明】
３…支持地盤、４…軽量盛土材としての樹脂発泡体ブロック、５…コンクリート床版、２０…壁面材、２１…ガイドレール、２２…開口、２３…縦溝、３０…止着具、３１…留め付け片、３３…係止体、４０…位置決め材
【図１】
0003751853.tif 000002
【図２】
0003751853.tif 000003
【図３】
0003751853.tif 000004
【図４】
0003751853.tif 000005
【図５】
0003751853.tif 000006
【図６】
0003751853.tif 000007
【図７】
0003751853.tif 000008
【図８】
0003751853.tif 000009